(57)【特許請求の範囲】
【請求項１】
１辺の長さが同じの平面正方形状と三角形状、及び半径が前記正方形状の２分の１である円形状を呈した複数枚のプレート状のピース片から成り、前記正方形状と三角形状の各ピース片には、各辺を構成する外縁から内側に向けて直角に前記各ピース片の厚さと同じ幅の複数の係合溝が等間隔かつ同じ深さで全周に渡って設けられ、さらに各角部からもそれぞれ１本の前記各ピース片の厚さと同じ幅の係合溝が前記外縁から設けられた係合溝と重ならないように設けられると共に、前記円形状を呈したピース片からはその周縁部から中心方向に向けて逆放射状に前記各辺の複数の係合溝と略同一の間隔で等間隔に前記各ピース片の厚さと同じ幅の複数の係合溝が同じ深さで全周に渡って設けられ、前記係合溝が相互に前記各ピース片の厚みを挟み込むように前記各ピース片の前記係合溝に別の前記各ピース片の前記係合溝を嵌め合わせ可能であって、前記各ピース片にはその中央領域の対称な位置に前記各係合溝と重ならないように、距離を置いて円形の小孔が一対のみ設けられていることを特徴とする、組立玩具。
【請求項２】
前記各ピース片の全部或は一部は、金属プレート製であることを特徴とする、請求項１に記載の組立玩具。
【請求項３】
前記各ピース片の全部或は一部は、合成樹脂製であることを特徴とする、請求項１に記載の組立玩具。
【発明の詳細な説明】
【技術分野】
【０００１】
本発明は、子供が自由な発想により簡単に様々な立体形態に組み立てることができ、組み立て後、分離しても嵩張らず収納場所も取らない組立玩具に関するものである。
【背景技術】
【０００２】
従来、様々な形状や大きさの厚紙製のピース片から成り、このピース片を平面的に組み合わせて動物の顔を形成させて遊ぶ組立玩具が、下記特許文献１に記載されているように公知である。しかしながら、この組立玩具は、糊等の接着剤を必要としていたので、接着剤がないと組み立てが不可能で、つい組み立てが億劫になりがちであった。又、接着剤を使用すると、子供は手や衣服等に接着剤を付けて汚してしまうこともあり、玩具としては必ずしも好ましいとは言えなかった。
【０００３】
そして、一旦組み合わせてしまうと、糊付けされているので、嵩張ってしまうといった問題点を有していると共に、組み立てる楽しさは１回だけのものとなってしまうという欠点があった。また、従来の厚紙製の組立玩具は完成品の小片が予め用意され、これを説明書通りに組み立て復元するものであるから、子供の創造力を養うには不向きであった。
【０００４】
他方、近年の高齢化が急速に進んでおり、手指を動かしたり、頭を使ったりすることは、高齢者のボケ防止のために極めて有効であるとの研究結果が発表されている。そこでそのための用具が必要とされている。
【先行技術文献】
【特許文献】
【０００５】
【特許文献１】特開２００６−１８１１２４号
【発明の概要】
【発明が解決しようとする課題】
【０００６】
上記点に鑑み本発明は、糊等の接着剤を使用せずに幼児や高齢者が独自の創作力により自由かつ簡単に組み立てることができ、不要となった時に分解し、コンパクトに収納も可能で、かつ繰り返し使用することができる組立玩具を提供しようとするものである。
【課題を解決するための手段】
【０００７】
上記課題を解決するため本発明に係る組立玩具は、１辺の長さが同じの平面正方形状と三角形状、及び半径が前記正方形状の２分の１である円形状を呈した複数枚のプレート状のピース片から成り、前記正方形状と三角形状の各ピース片には、各辺を構成する外縁から内側に向けて直角に前記各ピース片の厚さと同じ幅の複数の係合溝が等間隔かつ同じ深さで全周に渡って設けられ、さらに各角部からもそれぞれ１本の前記各ピース片の厚さと同じ幅の係合溝が前記外縁から設けられた係合溝と重ならないように設けられると共に、前記円形状を呈したピース片からはその周縁部から中心方向に向けて逆放射状に前記各辺の複数の係合溝と略同一の間隔で等間隔に前記各ピース片の厚さと同じ幅の複数の係合溝が同じ深さで全周に渡って設けられ、前記係合溝が相互に前記各ピース片の厚みを挟み込むように前記各ピース片の前記係合溝に別の前記各ピース片の前記係合溝を嵌め合わせ可能であって、前記各ピース片にはその中央領域の対称な位置に前記各係合溝と重ならないように、距離を置いて円形の小孔が一対のみ設けられていることを特徴とする。
【００１１】
本発明はまた、前記各種ピース片の全部或は一部は、金属プレート製であることを特徴とする。
【００１２】
そして、本発明は、前記各種ピース片の全部或は一部は、合成樹脂製であることを特徴とする。
【発明の効果】
【００１３】
本発明によれば、様々な形状の各種ピース片が、互いに各外縁に設けた複数の係合溝を嵌め合うことで、様々な位置で簡単に連結されるため、子供や高齢者が自由な発想で立体的形態に組み立てることができ、想像力の育成及び維持向上に役立つものである。また、接着剤を使用しなくとも組み立てることができ、分解も容易で繰り返し組み立てができ、不要となった時はコンパクトに収納が可能となる。さらに、接着剤を使用しないため、従来のように子供の手や衣服に接着剤が付いて汚してしまうこともないものである。
【図面の簡単な説明】
【００１４】
【図１】本発明に係る組立玩具を構成する各種ピース片の斜視図である。
【図２】本発明に係る組立玩具を構成する正方形状のピース片の平面図である。
【図３】本発明に係る組立玩具を構成する３角形状のピース片の平面図である。
【図４】本発明に係る組立玩具を構成する円形状のピース片の平面図である。
【図５】図１〜図４に示した各種ピース片を連結して組み立てた立体的形態の第１例を示す斜視図である。
【図６】図１〜図４に示した各種ピース片を連結して組み立てた立体的形態の第２例を示す斜視図である。
【図７】図１〜図４に示した各種ピース片を連結して組み立てた立体的形態の第３例を示す斜視図である。
【発明を実施するための形態】
【００１５】
以下、図面を参照しつつ本発明に係る組立玩具の好適な実施例について説明する。
【実施例】
【００１６】
図１〜図４には、本発明に係る組立玩具Ｐの一実施例における３種類のピース片が示されており、各種ピース片は、図示のものは矩形状並びに多角形状の１例である正方形状のピース片１、３角形状のピース片２、円形状のピース片３で構成されている。これら各種のピース片１〜３は、複数枚ずつ、例えば２０枚ずつ組み合わせて販売される。各種ピース片１〜３の形状は図示のものに限定されず、例えばその他にも矩形状の他の例としての長方形状、及び５角形状、６角形状、星型形状などの多角形状、半円形状、楕円形状、半楕円形状、トラック形状、半トラック形状等々のプレートにそれぞれ係合溝を設けた、さまざまな形状のピース片が考えられる。ここではそれらの代表例として図１〜図４に示された形状のものについて説明するが、このものに限定されるものではない。
【００１７】
図１と図２に示した矩形状並びに多角形状の１例としての正方形状のピース片１は、例えば厚さ２〜５ｍｍ程度（この実施例では２ｍｍ。図３、図４のプレート２ａ、３ａについても同様。）の、ステンレス、鉄、アルミニウム、ジュラルミンなどの金属製のプレート１ａと、このプレート１ａの４辺を構成する各外縁１ｇ、１ｈ、１ｉ、１ｊから、それぞれ内側に向けて直角に設けられた合計２０本の係合溝１ｂ、１ｂ・・・と、プレート１ａの４つの角部１ｋ、１ｌ、１ｍ、１ｎから、当該プレート１ａの中心方向へ向けて設けられた合計で４本の係合溝１ｄ、１ｄ・・とで構成されている。それらの係合溝１ｂ、１ｂ・・・の間に舌片１ｃ、１ｃ・・・が形成され、係合溝１ｄ、１ｄ・・と隣接する係合溝１ｂ、１ｂ・・・の間に舌片１ｏ、１ｏ・・・とが形成されている。各外縁１ｇ、１ｈ、１ｉ、１ｊに設けられる係合溝１ｂ、１ｂ・・・の数は、実施例では各外縁１ｇ、１ｈ、１ｉ、１ｊ毎に５本で、その幅はプレート１ａの厚さと略同一であり、各係合溝１ｂ、１ｂ・・・の長さは同一である。各係合溝１ｄ、１ｄ・・の幅は、前記係合溝１ｂ、１ｂ・・・の幅と同一であり、その長さも同一である。また、プレート１ａの中央領域１ｅには、２つの小孔１ｆ、１ｆが設けられている。
【００１８】
尚、前記各舌片１ｃ、１ｃ・・・及び１ｏ、１ｏ・・・の各先端部及び前記４つの角部１ｋ、１ｌ、１ｍ、１ｎの各先端部は、使用時に指等を傷つけないように、図示する如く、丸味をつけておくことが推奨される。
【００１９】
このプレート１ａの各部の寸法の１例を示すと、正方形状の一辺の長さｔ１＝７０ｍｍ、各辺の係合溝１ｂ、１ｂ・・・の長さｔ２＝１７ｍｍ、各角部の係合溝１ｄ、１ｄ・・の長さｔ３＝１７ｍｍ、前記係合溝１ｂ、１ｂ・・・及び前記係合溝１ｄ、１ｄ・・の幅ｔ４＝２ｍｍ、各辺の係合溝１ｂ、１ｂ・・・の中心線間の距離ｔ５＝７ｍｍ、小孔１ｆ、１ｆの直径ｔ６＝４ｍｍ、小孔１ｆ、１ｆの中心間の距離ｔ７＝２５ｍｍである。尚、これらの数値は単なる１例に過ぎず、他の数値とすることは自由である。
【００２０】
次に、図１と図３に示した多角形状の例示である３角形状のピース片２は、前記図１と図２のプレート１ａと同一の厚さ、例えば厚さ２〜５ｍｍ程度（この実施例では２ｍｍ）の厚紙、プラスチック板等を正３角形に裁断若しくは成形して製造されるプレート２ａと、このプレート２ａの３辺の外縁２ｇ、２ｈ、２ｉから内方へ直角方向にそれぞれ等間隔に設けられた５本の係合溝２ｂ、２ｂ・・・と、プレート２ａの３つの角部２ｊ、２ｋ、２ｌから、該プレート２ａの中心方向へ向けて設けられた各１本の係合溝２ｄ、２ｄ、２ｄとで構成されている。
【００２１】
そして、各係合溝２ｂ、２ｂ・・の間に舌片２ｃ、２ｃ・・・が形成され、係合溝２ｄ、２ｄ・・と隣接する係合溝２ｂ、２ｂ・・・との間に舌片２ｍ、２ｍ・・・形成されている。各係合溝２ｂ、２ｂ・・・と２ｄ、２ｄ、２ｄの幅は、プレート２ａの厚さと略同一であり、その長さは係合溝２ｂ、２ｂ・・・同士と、係合溝２ｄ、２ｄ、２ｄ同士は同じである。また、プレート２ａの中央領域２ｅには、２つの小孔２ｆ、２ｆが明けられている。
【００２２】
尚、前記各舌片２ｃ、２ｃ・・・及び２ｍ、２ｍ・・・の先端部及び前記３つの角部２ｊ、２ｋ、２ｌの先端部は、使用時に指等を傷つけないように、図示する如く、丸味をつけておくことが推奨される。
【００２３】
このプレート２ａの各部の寸法の１例を示すと、正３角形であり、その一辺の長さｕ１＝７０ｍｍ、各辺の係合溝２ｂ、２ｂ・・・の長さｕ２＝１０ｍｍ、各角部の係合溝２ｄ、２ｄ・・の長さｕ３＝１５ｍｍ、前記係合溝２ｂ、２ｂ・・・及び２ｄ、２ｄ、２ｄの幅ｕ４＝２ｍｍ、各外縁の係合溝２ｂ、２ｂ・・・の中心線間の距離ｕ５＝６ｍｍ、小孔２ｆ、２ｆの直径ｕ６＝４ｍｍ、小孔２ｆ、２ｆの中心間の距離ｕ７＝２０ｍｍである。尚、これらの数値は単なる１例に過ぎず、他の数値とすることは自由である。
【００２４】
図１と図４に示した円形状のピース片３は、前記図１と図２及び図３のプレート１ａ、２ａと同一の厚さ、例えば厚さ２〜５ｍｍ程度（この実施例では２ｍｍ）の金属製のプレート３ａからなる。プレート３ａの周縁部には、中心方向へ向けて同一の長さで等間隔かつ逆放射状に多数本（この実施例では２４本）の係合溝３ｂ、３ｂ・・・が設けられ、それらの係合溝３ｂ、３ｂ・・・の間に舌片３ｃ、３ｃ・・・が形成されている。また、プレート３ａの中央領域３ｄには、２つの小孔３ｅ、３ｅが明けられている。
【００２５】
尚、前記各舌片３ｃ、３ｃ・・・の先端部は、使用時に指等を傷つけないように、図示する如く、丸味をつけておくことが推奨される。
【００２６】
このプレート３ａの各部の寸法の１例を示すと、円形状のプレート３ａの半径ｖ１＝３５ｍｍ、各係合溝３ｂ、３ｂ・・・の長さｖ２＝１７ｍｍ、各係合溝３ｂ、３ｂ・・・の幅ｖ３＝２ｍｍ、小孔３ｅ、３ｅの直径ｖ４＝４ｍｍ、小孔３ｅ、３ｅの中心間の距離ｖ５＝２５ｍｍである。尚、これらの数値は単なる１例に過ぎず、他の数値とすることは自由である。
【００２７】
図５には、図１〜図４に示した３種類のピース片１〜３を用いて、人力車模型４を制作した例が示されている。即ち、図１と図２に示した正方形状のピース片１を１枚と、図１と図３示した３角形状のピース片２を１枚と、図１と図４に示した円形状のピース片３を２枚とを互いに連結して人力車模型４を制作したものである。
【００２８】
以下、その組み立て方について説明する。尚、図面の繁雑化を防ぐため、組み立て作業に直接関係のない指示記号については、それらの記載を省略する。
【００２９】
即ち、図示する如く、１枚の正方形状のピース片１のプレート１ａの外縁１ｇ上の一番手前側の係合溝１ｂに、図中手前側の１枚の円形状のピース片３のプレート３ａの周縁部上の１つの係合溝３ｂを合わせて、それらの係合溝１ｂ、３ｂの軸方向に沿って正方形状のピース片１と円形状のピース片３とを互いに接近する方向へ移動させる。これによって、正方形状のピース片１の係合溝１ｂには円形状のピース片３の中央領域３ｄが挟み込まれ、他方、円形状のピース片３の係合溝３ｂには正方形状のピース片１の中央領域１ｅが挟み込まれ、これによって、正方形状のピース片１と手前側の円形状のピース片３とが連結される。奥側の円形状のピース片３と正方形状のピース片１も同様にして連結でき、その際、正方形状のピース片１の外縁１ｇ上の一番奥側の係合溝１ｂに、奥側の円形状のピース片３の係合溝を合わせて連結し、これにより、手前側の円形状のピース片３と奥側の円形状のピース片３とが所定の間隔を隔てて略平行に保持されるようにする。
【００３０】
次に、図示するように、１枚の３角形状のピース片２のプレート２ａの外縁２ｇ上の一番手前側の係合溝２ｂに、手前側の１枚の円形状のピース片３の、正方形状のピース片１と連結した係合溝３ｂと対向位置にある係合溝３ｂから１つ隣りの係合溝３ｂを合わせて、それらの係合溝３ｂの軸方向に沿って３角形状のピース片２と円形状のピース片３とを互いに接近する方向へ移動させる。これによって、３角形状のピース片２の係合溝２ｂには円形状のピース片３の中央領域３ｄが挟み込まれ、他方、円形状のピース片３の係合溝３ｂには３角形状のピース片２の中央領域２ｅが挟み込まれ、これによって、３角形状のピース片２と手前側の円形状のピース片３とが連結される。奥側の円形状のピース片３と３角形状のピース片２も同様にして連結でき、その際、３角形状のピース片２の外縁１ｇ上の一番奥側の係合溝２ｂに、奥側の円形状のピース片３の係合溝３ｂを合わせて連結し、これにより、手前側の円形状のピース片３と奥側の円形状のピース片３とが所定の間隔を隔てて略平行に連結されるようにする。以上により、人力車模型４が完成する。
【００３１】
次に、図６はライオン模型５を制作した例を示している。即ち、ライオンの胴部に当たる１枚の正方形状のピース片１と、前後の脚部に当たる２枚の３角形状のピース片２、２と、頭部に当たる１枚の円形状のピース片３とを互いに連結してなるものである。より具体的には、正方形状のピース片１の上奥側の角部１ｋの係合溝１ｄには、円形状のピース片３の１つの係合溝３ｄを合わせて組み付け、正方形状のピース片１の下手前側の角部１ｍの係合溝１ｄには、３角形状のプレート２の上側の角部２ｊの係合溝２ｄを合わせて組み付け、正方形状のピース片１の下奥側の角部１ｎの係合溝１ｄには、もう１枚の３角形状のプレート２の上側の角部２ｊの係合溝２ｄを合わせて組み付けることによって、ライオン模型５を組み上げるものである。個々の連結操作については、図４に示した人力車模型４について説明したのと同様であるので、説明を省略する。
【００３２】
次に、図７は立看板模型６を制作した例を示している。即ち、看板部に当たる１枚の正方形状のピース片１と、左右の脚部に当たる２枚の３角形状のピース片２、２とを互いに連結してなるものである。より具体的には、正方形状のピース片１の下側の外縁１ｉの手前側の係合溝１ｄには、手前側のプレート２ａの上側の角部２ｊの係合溝２ｄを合わせて組み付け、正方形状のピース片１の下側の外縁１ｉの奥側の係合溝１ｄには、もう１枚の３角プレート２の上側の角部２ｊの係合溝２ｄを合わせて組み付けることによって、立看板模型６を組み上げるものである。個々の連結操作については、図４に示した人力車模型４について説明したのと同様であるので、説明を省略する。
【００３３】
尚、図１と図２に示した正方形状のピース片１の中央領域１ｅに設けた２つの小孔１ｆ、１ｆ、図１と図３に示した３角形状のピース片２の中央領域２ｅに設けた２つの小孔２ｆ、２ｆ、及び図１と図３に示した円形状のピース片３の中央領域３ｄに設けた２つの小孔３ｅ、３ｅの利用方法は、例えばこれらの小孔に竹串や爪楊枝等を挿通することにより、これらの各種ピース片を連結したり、或いは糸を通して吊るしたり、或は紛失しないように紐を通して結びつけておく際などに利用でき、その用途は使用者の創意工夫により多様である。
【００３４】
尚、各種ピース片は、金属製のもの以外に、ポリカーボネート、プラスチック、アクリル、及びＡＢＳなどの合成樹脂製とすることができる。
【００３５】
また、本発明は上記の実施例に限定されるものではなく、前記の如く、各種ピース片の形状は、例えば長方形状、５角形状、６角形状などの多角形状、星型形状、半円形状、楕円形状、半楕円形状、トラック形状、半トラック形状等々、さまざまなものが可能であり、また、例えば、係合溝の向きは必ずしもピース片の外縁に対して直角方向でなくてもよく、その数や長さも適宜変更可能である。したがって、本発明は、特許請求の範囲内において、上記の説明から当業者が容易に想到し得るすべての変更実施例を包摂するものである。
【産業上の利用可能性】
【００３６】
本発明は以上の如く構成したので、組み立て分解が可能で、幼児や高齢者が自由な発想で様々な立体的形状の創作物を組み立てることができることから、幼児の創造力を高め、高齢者の想像力の低下を防止することのできる組立玩具として好適に用いられるものである。
【符号の説明】
【００３７】
Ｐ          組立玩具
１          矩形状のピース片
１ａ        プレート
１ｂ  係合溝
１ｃ  舌片
１ｄ  係合溝
１ｅ        中央領域
１ｆ  小孔
１ｇ〜１ｊ  外縁
１ｋ〜１ｎ  角部
２          ３角形状のピース片
２ａ        プレート
２ｂ  係合溝
２ｃ  舌片
２ｄ  係合溝
２ｅ  中央領域
２ｆ  小孔
２ｇ〜２ｉ  外縁
２ｊ〜２ｌ  角部
３          円形状のピース片
３ａ        プレート
３ｂ  係合溝
３ｃ  舌片
３ｄ        中央領域
３ｅ  小孔
４          人力車模型
５          ライオン模型
６          立看板模型
【図１】
0006731711.tif 000002
【図２】
0006731711.tif 000003
【図３】
0006731711.tif 000004
【図４】
0006731711.tif 000005
【図５】
0006731711.tif 000006
【図６】
0006731711.tif 000007
【図７】
0006731711.tif 000008